(57)【要約】【課題】消費カロリーや摂取カロリーを無理なくコントロールし、ユーザの身体状態を良好な状態に誘導する。【解決手段】タッチパネル１１４を通じて受け付けた初期情報に基づいて、メタボ解消スケジュール作成部１５１が被管理者のメタボ解消スケジュールを作成する。差異算出部１５２は、ユーザの摂取カロリーとユーザの消費カロリーとから把握される現状と、メタボ解消スケジュール作成部によって作成されたユーザのメタボ解消スケジュールとの差異を算出する。そして、アドバイス出力制御部１５３が、算出された当該差異等に基づいて、アドバイス情報を作成して出力するように制御する。【選択図】図２
2013109700.tif 000002
【特許請求の範囲】
【請求項１】
被管理者の健康管理スケジュールを作成するための初期情報の入力を受け付ける情報入力手段と、
前記初期情報に基づいて、前記被管理者の健康管理スケジュールを作成するスケジュール作成手段と、
前記被管理者の摂取カロリーを計算するための情報を取得する第１の取得手段と、
前記被管理者の消費カロリーを計算するための情報を取得する第２の取得手段と、
前記第１の取得手段を通じて取得した情報を用いて算出される摂取カロリーと、前記第２の取得手段を通じて取得した情報を用いて算出される消費カロリーとから把握される現状と、作成された前記健康管理スケジュールとの差異を算出する算出手段と、
算出した前記差異に基づいて、アドバイス情報を作成して出力するように処理する出力制御手段と
を備えることを特徴とする健康管理支援装置。
【請求項２】
請求項１に記載の健康管理支援装置であって、
前記被管理者によって携帯されて利用される携帯型の端末装置の構成とされたことを特徴とする健康管理支援装置。
【請求項３】
請求項１に記載の健康管理支援装置であって、
前記情報入力手段と、前記第１、第２の取得手段と、前記算出手段と、前記出力制御手段とを備えた端末装置と、
前記スケジュール作成手段を備える共に、作成した健康管理スケジュールを記憶保持する記憶手段を備えたサーバ装置と
が、ネットワークを通じて接続されて形成されることを特徴する健康管理支援装置。
【請求項４】
請求項１、請求項２または請求項３のいずれかに記載の健康管理支援装置であって、
前記算出手段は、少なくとも、カロリー摂取時とカロリー消費時とにおいて、前記差異を算出することを特徴とする健康管理支援装置。
【請求項５】
請求項３または請求項４のいずれかに記載の健康管理支援装置であって、
現在時刻を提供する時刻管理手段と、
被管理者の現在位置を取得する現在位置取得手段と、
被管理者の移動状態を検出する移動状態検出手段と、
被管理者からの摂取カロリーや消費カロリーに関する情報の入力を受け付ける情報受付手段と
を備え、
前記カロリー摂取時とカロリー消費時との検出は、時刻、被管理者の現在位置、被管理者の移動状態、被管理者の情報の入力状態に基づいて行うことを特徴とする健康管理支援装置。
【請求項６】
請求項１、請求項２、請求項３、請求項４または請求項５のいずれかに記載の健康管理支援装置であって、
被管理者の行動予定に関する情報を管理する行動予定管理手段を備え、
前記出力制御手段は、前記行動予定管理手段により管理される前記行動予定に関する情報をも考慮して、前記アドバイス情報を作成することを特徴とする健康管理支援装置。
【請求項７】
情報入力手段を通じて、被管理者の健康管理スケジュールを作成するための初期情報の入力を受け付ける受付工程と、
前記初期情報に基づいて、スケジュール作成手段が前記被管理者の健康管理スケジュールを作成するスケジュール作成工程と、
第１の取得手段を通じて、適時のタイミングで前記被管理者の摂取カロリーを計算するための情報を取得する第１の取得工程と、
第２の取得手段を通じて、適時のタイミングで前記被管理者の消費カロリーを計算するための情報を取得する第２の取得工程と、
前記第１の取得工程において取得した情報を用いて算出する摂取カロリーと前記第２の取得工程において取得した情報を用いて算出する消費カロリーとから把握される現状と、作成された前記健康管理スケジュールとの差異を算出手段が算出する算出工程と、
算出した前記差異に基づいて、出力制御手段がアドバイス情報を作成して出力するように処理する出力制御工程と
を有することを特徴とする健康管理支援方法。
【請求項８】
被管理者であるユーザによって使用される健康管理支援装置に搭載されたコンピュータによって実行される健康管理支援プログラムであって、
情報入力手段を通じて、被管理者の健康管理スケジュールを作成するための初期情報の入力を受け付ける受付ステップと、
前記初期情報に基づいて、前記被管理者の健康管理スケジュールを作成するスケジュール作成ステップと、
第１の取得手段を通じて、適時のタイミングで前記被管理者の摂取カロリーを計算するための情報を取得する第１の取得ステップと、
第２の取得手段を通じて、適時のタイミングで前記被管理者の消費カロリーを計算するための情報を取得する第２の取得ステップと、
前記第１の取得ステップにおいて取得した情報を用いて算出する摂取カロリーと前記第２の取得ステップにおいて取得した情報を用いて算出する消費カロリーとから把握される現状と、作成された前記健康管理スケジュールとの差異を算出する算出ステップと、
算出した前記差異に基づいて、出力制御手段がアドバイス情報を作成して出力するように処理する出力制御ステップと
を実行することを特徴とする健康管理支援プログラム。
【発明の詳細な説明】
【技術分野】
【０００１】
この発明は、例えば、ユーザの体重等とユーザの摂取カロリー及び消費カロリーの情報を用いてユーザの健康管理を支援する装置、方法、プログラムに関する。
【背景技術】
【０００２】
健康志向の高まりに伴い、種々の健康関連機器等に関する技術が考えられている。例えば、後に記す特許文献１、２等には、ユーザの消費カロリーを測定して報知する構成を有する技術が開示されている。また、後に記す特許文献３、４等には、ユーザの摂取カロリーを算出あるいは取得して、摂取過多の場合に警告する構成を有する技術が開示されている。また、後に記す特許文献５、６等には、摂取カロリーと消費カロリーとの両方を考慮して、アドバイスを行ったり、摂取カロリーと消費カロリーとの両方を管理したりする構成を有する技術が開示されている。
【先行技術文献】
【特許文献】
【０００３】
【特許文献１】特開２００８−２６２５２２号公報
【特許文献２】特開２００３−３３１０６３号公報
【特許文献３】特開２０１０−０３３３２６号公報
【特許文献４】特開２００６−１３４１１４号公報
【特許文献５】特開２００５−０１３３２２号公報
【特許文献６】特開２００３−０６１９４０号公報
【発明の概要】
【発明が解決しようとする課題】
【０００４】
現在、従業員が３０人以上の事業所は従業員に対していわゆるメタボ（メタボリックシンドローム）健診を受けさせねばならず、また健診後にメタボと判定された場合には脱メタボへの動機付け支援や積極的支援を怠ると企業及び医療機関に何らかのペナルティが課せられる。我が国のメタボリック人口は２００万人に達している。しかしながら、飲食に関する生活習慣指導や運動指導は医師の診断の上、健康運動指導士が行ったとしても健康保険の適用外となっている。
【０００５】
このため、被健診者（ユーザ）の１人１人が自分自身で運動量（消費カロリー）や食事や間食の量（摂取カロリー）を適切に管理できるようにすることが望まれる。そこで、上述した先行技術文献に開示された技術を利用することが考えられる。しかしながら、適切な運動量や食事量等はユーザ毎に異なるし、適切な運動量や食事量が分かっても、それに応じて運動量や食事量を適切にコントロールしていくことは、ユーザ自身の意思が強くないと継続できない。
【０００６】
以上のことに鑑み、この発明は、消費カロリーや摂取カロリーを無理なくコントロールできるようにし、ユーザの身体状態を良好な状態に誘導することを目的とする。
【課題を解決するための手段】
【０００７】
上記課題を解決するため、請求項１に記載の発明の健康管理支援装置は、
被管理者の健康管理スケジュールを作成するための初期情報の入力を受け付ける情報入力手段と、
前記初期情報に基づいて、前記被管理者の健康管理スケジュールを作成するスケジュール作成手段と、
前記被管理者の摂取カロリーを計算するための情報を取得する第１の取得手段と、
前記被管理者の消費カロリーを計算するための情報を取得する第２の取得手段と、
前記第１の取得手段を通じて取得した情報を用いて算出される摂取カロリーと、前記第２の取得手段を通じて取得した情報を用いて算出される消費カロリーとから把握される現状と、作成された前記健康管理スケジュールとの差異を算出する算出手段と、
算出した前記差異に基づいて、アドバイス情報を作成して出力するように処理する出力制御手段と
を備えることを特徴とする。
【０００８】
この請求項１に記載の発明の健康管理支援装置によれば、受付手段を通じて受け付けた初期情報に基づいて、スケジュール作成手段が被管理者の健康管理スケジュールを作成する。算出手段は、第１の取得手段からの情報を用いて算出される摂取カロリーと第２の取得手段からの情報を用いて算出される消費カロリーとから把握される現状と、スケジュール作成手段によって作成された被管理者の健康管理スケジュールとの差異を算出する。そして、出力制御手段が、算出された当該差異に基づいて、アドバイス情報を作成して出力するように制御する。
【０００９】
これにより、被管理者の摂取カロリーと消費カロリーとから把握させる現状と、被管理者の健康管理スケジュールとの差異に応じたアドバイス情報を被管理者（ユーザ）に提供することができる。これにより、被管理者の身体状態を良好な状態に誘導できる。
【発明の効果】
【００１０】
この発明によれば、ユーザの１人１人に応じて、消費カロリーや摂取カロリーを無理なくコントロールできるようにし、ユーザの身体状態を良好な状態に誘導することができる。
【図面の簡単な説明】
【００１１】
【図１】第１の実施の形態の健康管理支援システムの概略構成を説明するための図である。
【図２】第１の実施の形態の端末装置１の構成例を説明するためのブロック図である。
【図３】メタボ解消スケジュールデータの例を説明するための図である。
【図４】摂取カロリー算出用データの例を説明するための図である。
【図５】消費カロリー算出用データの例を説明するための図である。
【図６】行動予定管理部１５４により作成されるカレンダ情報の例を説明するための図である。
【図７】端末装置１で行われるメタボ解消スケジュールの作成処理を説明するためのフローチャートである。
【図８】端末装置１で行われるカロリー情報等の収集とアドバイス出力処理を説明するためのフローチャートである。
【図９】端末装置１において用いられる表示画面の例を説明するための図である。
【図１０】端末装置１において用いられる表示画面の例を説明するための図である。
【図１１】端末装置１において用いられる表示画面の例を説明するための図である。
【図１２】第２の実施の形態の健康管理支援システムの概略構成を説明するための図である。
【発明を実施するための形態】
【００１２】
以下、図を参照しながら、この発明の装置、方法、プログラムの一実施の形態について説明する。
【００１３】
［第１の実施の形態］
［システムの全体構成］
図１は、第１の実施の形態の健康管理支援システムの概略構成を説明するための図である。図１において、携帯端末装置１は、この発明の健康管理支援装置、健康管理支援方法、健康管理支援プログラムの一実施の形態が適用されたものである。携帯端末装置１は、携帯電話端末、ＰＤＡ（Personal Digital Assistants）等と呼ばれる個人用情報端末、タブレット型端末あるいはパッド型端末などと呼ばれる情報端末など、種々のものを用いることが可能である。しかし、この実施の形態において携帯端末装置１は、現在、広く利用されているスマートフォンなどと呼ばれる高機能携帯電話端末であるものとして説明する。また、以下においては、説明を簡単にするため、携帯端末装置１を単に端末装置１という。
【００１４】
この実施の形態の端末装置１は、ユーザの健康管理を支援する機能、より具体的にはメタボリックシンドローム（以下、メタボと略称する。）の解消を支援する機能を実現する。このため、端末装置１は、情報入力手段１１と、メタボ解消スケジュール作成手段１２と、摂取カロリー情報取得手段１３と、消費カロリー情報取得手段１４と、差異算出手段１５と、アドバイス出力制御手段１６と、行動予定管理手段１７とを備えたものである。
【００１５】
ここで、情報入力手段１１は、ユーザの体重、身長、年齢、性別、職業等のメタボ解消スケジュールを作成するために必要となる初期情報の入力を受け付ける。メタボ解消スケジュール作成手段１２は、情報入力手段１１を通じて受け付けた初期情報に基づいて、当該端末装置１のユーザのためのメタボ解消スケジュールを作成する。摂取カロリー情報取得手段１３は、当該端末装置１のユーザの摂取カロリーを算出するために必要になる情報を取得する。摂取カロリー情報取得手段１３は、簡単には当該ユーザが何をどの位食べたかを示す情報を取得する。また、消費カロリー情報取得手段１４は、当該端末装置１のユーザの消費カロリー算出するために必要になる情報を取得する。消費カロリー情報取得手段１４は、簡単には当該ユーザがカロリーを消費するどのような動作（状態）をどの位継続させたかを示す情報を取得する。
【００１６】
差異算出手段１５は、メタボ解消スケジュール作成手段１２によって作成されたメタボ解消スケジュールと、端末装置１のユーザの摂取カロリーや消費カロリーとから把握されるユーザの状況（現状）との差異を算出する。例えば、メタボ解消スケジュールでは、摂取カロリーより消費カロリーを１日当たり２００ｋｃａｌ多くしなければならないのに、摂取カロリーが大きかったり、消費カロリーが少なかったりする場合に、差異算出手段１５は、当該状況を正確に算出して把握する。
【００１７】
また、アドバイス出力制御手段１６は、差異算出手段１５で算出された差異に基づいて、端末装置１のユーザに対して提供すべきアドバイス情報を作成して、これを出力するように制御する処理を行う。例えば、メタボ解消スケジュールを達成できていない、あるいは、達成できない可能性が高い場合には、摂取カロリーをひかえたり、消費カロリーを多くしたりすることをアドバイスする。また、メタボ解消スケジュールを達成できる可能性が高い、あるいは、達成できている場合には、激励、賞賛を行うメッセージ作成して出力する。このように、アドバイス出力制御手段１６は、差異算出手段１５と協働し、端末装置１のユーザが、メタボ解消スケジュールを達成できるようにユーザを誘導する役割を有する。
【００１８】
そして、行動予定管理手段１７は、仕事の繁忙期と閑散期、出張、サークル活動、飲食会など、普段の生活とは異なるために、消費カロリーや摂取カロリーが大きく変わるユーザの行動予定を予め登録して管理する。そして、当該行動予定をも考慮して、アドバイス出力制御手段１６において、より適切なアドバイス情報を作成して出力できるようにしている。
【００１９】
このように、この実施の形態の端末装置１は、端末装置１のユーザのメタボ解消スケジュールを正確に作成した上で、日常における摂取カロリーと消費カロリーの状況を正確に把握する。そして、メタボ解消スケジュールと摂取カロリーと消費カロリーの状況との差異に基づいて、メタボ解消スケジュールを達成できるようにユーザを誘導するものである。なお、ここでは、メタボ解消スケジュールと摂取カロリーと消費カロリーの状況との差異に基づいて、ユーザを誘導することを説明したが、日々のユーザの体重等の身体状態をも把握することによって、より適切に、ユーザの身体状態を良好な方向に誘導することができる。
【００２０】
すなわち、ユーザの行動変容がみられず、今までと同じ摂取カロリーと消費カロリーであれば、脱メタボは不可能である。このため、体重、体組成数値が変わらない又は逆進する傾向があり、かつ摂取カロリーが減らない、消費カロリーが増えない場合には、端末装置１はユーザに対して注意喚起（アドバイス）を行う。具体的に言えば、端末装置１は、起床時、計測値登録時、飲食時、移動時などに音声や文字、バイブレーションにより警告等を行い、また、計測値登録時に改善傾向が予定通りであれば激励し、顕著であれば賞賛する構成を有している。
【００２１】
また、図１において、ネットワーク２は、主にインターネットを意味する。なお、ネットワーク２は、インターネットへの接続経路を提供する携帯電話網等も含む。また、支援サーバ装置３は、端末装置１が必要とする種々の情報を提供する機能を有する。支援サーバ装置３は、後述もするが摂取カロリーを算出する際の基準データとなる摂取カロリー算出用データや消費カロリーを算出する際の基準データとなる消費カロリー算出用データを端末装置１に提供する。また、支援サーバ装置３は、地図データベースを備え、端末装置１からの現在位置情報に基づいて、端末装置１が位置する場所周辺の地図情報を提供したり、また、端末装置１が位置する場所の住所を特定したりするなどのこともできるものである。すなわち、支援サーバ装置３は、端末装置１において行われる処理が適正に行えるように支援する機能を実現する。
【００２２】
このように、この実施の形態の健康管理システムにおいては、端末装置１が、支援サーバ装置３から必要な情報の提供を受け、また、ユーザから必要な情報を収集して、いわゆるメタボを解消できるように端末装置１のユーザを支援する機能を実現している。以下においては、端末装置１の具体的な構成例を説明した後に、当該端末装置１で行われる処理について説明する。
【００２３】
［端末装置１の構成例］
図２は、この実施の形態の端末装置１の構成例を説明するためのブロック図である。図１に示すように、この実施の形態の端末装置１は、携帯電話網やインターネットなどの広域ネットワークを通じて通信を行う部分として、送受信アンテナ１０１、無線通信部１０２、受話器（スピーカ）１０３、送話器（マイクロホン）１０４を備える。また、端末装置１は、ユーザインターフェースとしての機能を実現する部分として、キー操作部１１１、表示制御部１１２、表示部１１３、タッチパネル１１４、音声処理部１１５、スピーカ１１６を備える。また、端末装置１は、制御部１２０、データメモリ１３０、時間制御部１４１、歩数計機能部１４２、カメラ部１４３、ＧＰＳ部１４４、ＧＰＳアンテナ１４５を備える。
【００２４】
そして、端末装置１は、メタボ解消支援を行うための主要部分として、メタボ解消スケジュール作成部１５１、差異算出部１５２、アドバイス出力制御部１５３、行動予定管理部１５４を備える。メタボ解消スケジュール作成部１５１はメタボスケジュール作成手段１１の機能を、差異算出部１５２は差異算出手段１５の機能を実現する。また、アドバイス出力制御部１５３はアドバイス出力制御手段１６の機能を、行動予定管理部１５４は行動予定管理手段１７の機能を実現する。また、以下に説明するように、情報入力手段１１としての機能は、主にタッチパネル１１４と制御部１２０とが実現し、摂取カロリー情報取得手段１３、消費カロリー情報取得手段１４の機能は、制御部１２０と関連する各部とが協働することによって実現している。
【００２５】
［端末装置１の基本的な機能部分の概略説明］
制御部１２０は、端末装置１の各部を制御するものであり、ＣＰＵ１２１、ＲＯＭ１２２２、ＲＡＭ１２３が、ＣＰＵバス１２４を通じて接続されて構成されたコンピュータ装置である。データメモリ１３０は、内蔵された又は着脱可能にされた不揮発性メモリである。データメモリ１３０には、詳しくは後述するメタボ解消スケジュールデータ、消費カロリー算出用データ、摂取カロリー算出用データ、行動予定データ等が記憶保持される。
【００２６】
キー操作部１１１は、数字キーや各種のファンクションキーが設けられ、ユーザからの操作入力を受け付けるものである。表示制御部１１２と表示部１１３とは、種々の画像や表示メッセージなどの表示情報を表示するためのものである。また、タッチパネル１１４は、表示部１１３の表示画面に貼付され、ユーザの指等の指示体による接触位置（接触座標）を検出し、これを制御部１２０に通知するものである。したがって、タッチパネル１１４は、制御部１２０によって表示位置が制御される表示部１１３の表示画面に表示される表示情報と共に入力インターフェースを構成する。また、音声処理部１１５とスピーカ１１６とは、種々の音声情報を出力するためのものである。
【００２７】
時間制御部１４１は、現在年月日、現在曜日、現在時刻を提供すると共に、制御部１２０の制御に応じて所定の期間をカウントするタイマーとしての機能をも実現する。歩数計機能部１４２は、端末装置１に搭載された振動センサを利用し、ユーザが歩いたり、走ったりしたときと同程度の強さの連続する振動を検出して、これをカウントすることにより、ユーザの歩数を計測する機能を実現する。なお、歩数計機能部１４２は、制御部１２０の制御の下、動作／非動作を制御することができる。また、カメラ部１４３は、撮像レンズ、撮像素子、カメラ信号処理回路などからなる。ＧＰＳ部１４４及びＧＰＳ受信アンテナ１４５は、自機の現在位置を測位するためのものである。
【００２８】
［メタボ解消支援を行う部分の詳細説明］
そして、メタボ解消スケジュール作成部１５１は、制御部１２０がタッチパネル１１４を通じて受け付けたメタボ解消スケジュールを作成するための初期情報に基づいて、メタボ解消スケジュールを作成する。また、メタボ解消スケジュール作成部１５１は、作成したメタボ解消スケジュールを、制御部１２０を通じてデータメモリ１３０に記録する。この実施の形態においては、被管理者である端末装置１のユーザの性別、生年月日（年齢）、体重、身長、職業が、メタボ解消スケジュールを作成するための初期情報の必須情報となっている。また、この実施の形態においては、初期情報として、日常の概ねの食事時間（朝食時間、昼食時間、夕食時間）、出勤時間、退勤時間も入力できる。
【００２９】
メタボ解消スケジュール作成部１５１は、入力された初期情報うちの必須情報を用いて、ユーザのＢＭＩ（Body Mass Index）、推奨体重、基礎代謝、生活代謝のそれぞれを算出する。また、メタボ解消スケジュール作成部１５１は、入力された初期情報や算出した情報に基づいて、減量目標（ｋｇ）、減量カロリー量（ｋｃａｌ）、１日当たりの減量カロリー量（ｋｃａｌ）、メタボを解消するための目標期間を特定（設定）する。そして、メタボ解消スケジュール作成部１５１は、入力された情報や算出した情報、さらに特定した情報に基づいて、メタボ解消スケジュールデータを作成する。
【００３０】
図３は、メタボ解消スケジュール作成部１５１において作成され、データメモリ１３０に記録されるメタボ解消スケジュールデータの例を説明するための図である。図３において、「氏名」は、端末装置１のユーザの氏名であり、当該端末装置１に予め入力されているものが用いられる。「性別」、「生年月日」、「体重」、「身長」、「職業」は、タッチパネル１１４を通じて入力される初期情報の内の必須情報である。なお、この実施の形態においては、入力された「生年月日」と時間制御部１４１が提供する現在年月日とに基づいて、年齢が自動算出される。
【００３１】
「ＢＭＩ」は、計算式（「体重（ｋｇ）」／「身長（ｍ）」の二乗）により算出され、「推奨体重」は、計算式（「身長（ｍ）」の二乗×２２）による算出される。また、「基礎代謝」は、例えば、欧米で広く用いられているハリス・ベネディクト方程式が用いられて算出される。なお、当該方程式は、日本人用に調整がなされたものである。また、「生活代謝」は、「基礎代謝」に対してユーザの職業に基づく基本的な生活態様に応じた重み付けを行うことによって算出する。例えば、以下の（１）〜（４）に示すように、生活態様に応じた重み付けの強度が設定される。
【００３２】
すなわち、  
（１）生活のほとんどが座位で活動が少ない。家事による立ち仕事もあまりせず、静的な日常を送っている人の場合には、重み付けの強度を「１．３」とする。  
（２）座位が中心の仕事だが、移動や立位での作業、接客などの仕事の他、通勤や買い物、家事をしている人の場合には、重み付けの強度を「１．５」とする。  
（３）軽度の肉体労働や、１時間以上の運動を週５日以上行う人の場合には、重み付けの強度を「１．７」とする。  
（４）宅配業者や引越し業者等の重度の肉体労働や、１時間以上の激しい運動を週５日以上行う人の場合には、重み付けの強度を「１．９」とする。
【００３３】
図３に示した例の場合、ユーザの「職業」は「事務職」であり、上記（２）の生活態様に近いため重み付けの強度は「１．５」となる。したがって、図３に示した例の場合、「生活代謝」は、計算式（「基礎代謝」×「１．５（重み付けの強度）」）により算出される。また、「減量目標（ｋｇ）」は、計算式（初期情報の「体重（ｋｇ）」−「推奨体重（ｋｇ）」）により算出され、「減量カロリー」は、計算式（「減量目標（ｋｇ）」×７２００ｋｃａｌ）により算出される。ここで、「７２００ｋｃａｌ」という数値は、脂肪を１ｋｇ落とすために必要とされる熱量（カロリー量）である。したがって、１ｋｇの脂肪を落とすためには、摂取カロリーを７２００ｋｃａｌ少なくするか、消費カロリーを７２００ｋｃａｌ多くする必要がある。
【００３４】
そして、メタボ解消スケジュール作成部１５１は、ユーザに過度の負荷をかけることなくメタボ解消を実現できるように、１日当たりの減量カロリーが例えば４００ｋｃａｌ以下となるように、目標期間を設定する。この場合、メタボ解消スケジュール作成部１５１は、複数の目標期間を作成し、ユーザに提示して、ユーザが選択することができるようにしている。そして、図３に示した例の場合、「減量カロリー」は、２６６４０ｋｃａｌであり、これを１日当たりの減量カロリーの上限である４００ｋｃａｌで割り算すると、６６．７日となる。このため、メタボ解消スケジュール作成部１５１は、６７日以上の期間を目標期間とする。なお、図３に示した例の場合には、メタボ解消スケジュール作成部１５１によって特定された目標期間の内、６ヶ月（２０１１年１０月１日〜２０１２年３月３１日）の期間が目標期間としてユーザによって選択された場合を示している。
【００３５】
また、図３において、食事時間（朝食時間、昼食時間、夕食時間）、出勤時間、退勤時間のそれぞれは、必ず入力しなければならない情報ではないが、メタボ解消のためのアドバイスを適時のタイミングで受けるために必要となる情報である。すなわち、図３において、食事時間（朝食時間、昼食時間、夕食時間）は、メタボ解消のためのアドバイスを食事時間に対応して出力する場合の基準時刻として用いられる。また、出勤時間、退勤時間は、通勤時間帯や帰宅時間帯を特定する場合の基準時刻として用いられる。
【００３６】
また、３食（朝、昼、夕）の摂取カロリーの目安は、食事を抜いたり、極端に少なくしたりすることを防止するために用いられる情報であり、メタボ解消スケジュール作成部１５１によって特定される。メタボ解消スケジュール作成部１５１は、例えば、算出した「生活代謝」を５等分し、朝１：昼２：夕２などのようにして、３食（朝、昼、夕）の摂取カロリーの目安を特定する。なお、３食（朝、昼、夕）の摂取カロリーの目安は、例えば、「生活代謝」を超えず、「基礎代謝」を下回らない範囲で、ユーザが調整することもできる。
【００３７】
そして、この実施の形態のメタボ解消スケジュールデータは、「日付別」に、「体重」、「摂取カロリー」、「消費カロリー」、「摂取カロリーと消費カロリーとの差異」、「摂取カロリーと消費カロリーとの差異の累積」、「評価」の各情報欄を有する。このようなメタボ解消スケジュールデータが、メタボ解消スケジュール作成部１５１によって作成され、データメモリ１３０に格納される。
【００３８】
そして、図３に示したメタボ解消スケジュールデータの日付別の各情報が、端末装置１の機能によって更新される。すなわち、メタボ解消スケジュールの「日付」は、端末装置１の時間制御部１４１が提供する現在年月日が入力される。また、「体重」は、端末装置１のユーザによってタッチパネル１１４を通じて入力されたものが用いられる。なお、ここでは、体重だけを入力するものとして示しているが、日々計測する体脂肪率やＢＭＩなどの情報を入力して管理するようにしてもよい。
【００３９】
また、図２には図示しなかったが、端末装置１は、赤外線信号の送受信部や近距離無線通信部を備えている。このため、体重、ＢＭＩ、体脂肪率等を計測する計測機器が、赤外線通信や近距離無線通信が可能なものであるときには、当該計測機器から送信される体重、体脂肪率、ＢＭＩなどの計測結果を制御部１２０が受信し、これをメタボ解消スケジュールデータに記録して、管理することもできる。
【００４０】
また、メタボ解消スケジュールデータの「摂取カロリー」は、基本的には、端末装置１のタッチパネル１１４を通じてユーザによって入力される。すなわち、端末装置１の制御部１２０が、タッチパネル１１４を通じて摂取カロリーを算出するための情報を取得する摂取カロリー情報取得手段１３としての機能を実現する。そして、ユーザによる摂取カロリーの入力を簡単に行うことができるようにするために、データメモリ１３０には摂取カロリー算出用データが事前に用意される。当該摂取カロリー算出用データは、図１に示した支援サーバ装置３からネットワーク２を通じて提供を受けることができる。
【００４１】
図４は、端末装置１のデータメモリ１３０に記憶保持される摂取カロリー算出用データの例を説明するための図である。図４に示すように、摂取カロリー算出用データは、摂取食品とそのカロリー量とからなるものである。摂取食品は、個々の食材を意味するものではなく、図４においては、「すき焼定食」や「おかゆ（白米）１５０ｇ」などのように、実際にユーザが摂取する状態のもの（レシピ毎の食品）を意味する。したがって、ユーザは、自分が摂取した摂取食品を特定するだけで、摂取カロリーを入力することができる。
【００４２】
なお、図４においては、その一部しか示していないが、摂取カロリー算出用データは、少なくとも数百種類以上の摂取食品についてのデータが用意されているものである。また、ユーザは、食べ残したり、ご飯のお代わりをしたりするなどといったこともあるので、食べ残し量を入力したり、摂取食品を追加したりするなどのこともできる。
【００４３】
また、レシピ毎の摂取カロリーを自動計測する手段として、画像認識による方式を用いることも可能である。この場合、端末装置１のユーザは、摂取食品（これから食べるもの）を、カメラ部１４３を通じて撮影し、当該摂取食品の画像データを支援サーバ装置３に送信する。支援サーバ装置３は、多数の食品の画像データと食品のカロリー量を対応付けた食品データベースを備えている。そして、支援サーバ装置３は、受信した摂取食品の画像データと、食品データベースの食品の画像データとのマッチング処理を行って、摂取食品を特性し、そのカロリー量を取得して画像データの送信元の端末装置１に返信する。
【００４４】
このように、端末装置１のユーザは、支援サーバ装置３の支援を受けて、摂取カロリーを自動計測することもできる。しかし、画像認識を用いた摂取カロリーの自動計測は、正確性に欠ける場合もある。このため、画像認識を用いた摂取カロリーの自動計測により、摂取カロリーを特定した場合には、特定した摂取食品とそのカロリー量を表示部１１３に表示して確認を求め、違っている場合には、ユーザが摂取カロリー算出用データを用いて修正を入力する。これにより、画像認識を用いた摂取カロリーの自動計測を用いた場合の正確性を補完できる。
【００４５】
そして、制御部１２０は、上述したように、端末装置１のユーザが摂取した食品に応じて、図４に示した摂取カロリー算出用データを参照し、ユーザの摂取カロリーを算出して、メタボ解消スケジュールデータの「摂取カロリー」の欄に情報を記録する。
【００４６】
また、メタボ解消スケジュールデータの「消費カロリー」は、制御部１２０が、ＧＰＳ部１４４からの情報、時間制御部１４１からの情報、歩数計機能部１４２からの情報に基づいて自動的に算出する。また、就寝中や水泳を行った場合の消費カロリーなど、端末装置１において自動的に算出できない運動等についての消費カロリーは、タッチパネル１１４を通じてユーザが入力できる。すなわち、端末装置１の制御部１２０が、ＧＰＳ部１４４、時間制御部１４１、歩数計機能部１４２、さらにはタッチパネル１１４と協働することによって、消費カロリーを算出するための情報を取得する消費カロリー情報取得手段１４としての機能を実現する。
【００４７】
そして、端末装置１を持ったユーザが屋外にいる場合など、ＧＰＳ部１４４によって現在位置の測位が可能であるとする。この場合、制御部１２０は、ＧＰＳ部１４４から順次に取得する現在位置と時間制御部１４１からの時刻情報とを用いて、順次に単位時間当たりの移動距離を求め、当該移動距離を当該単位時間で割り算することにより、その時の移動速度を求める。そして、制御部１２０は、求めた移動速度に基づいて移動手段やその時の状況を特定し、特定した移動手段や状況と、その継続時間に応じて消費カロリーを算出する。すなわち、制御部１２０は、歩きで何分移動したか、早歩きで何分移動した、自転車で何分移動したか等に応じて、その運動量に応じた消費カロリーを算出し、これをメタボ解消スケジュールデータの該当欄に記録する。
【００４８】
また、端末装置１を持ったユーザが屋内にいる場合など、ＧＰＳ部１４４によって現在位置の測位が不能であるとする。この場合、制御部１２０は、歩数計機能部１４２を機能させ、当該歩数計機能部１４２からのカウント値（歩数）と時間制御部１４１からの時刻情報とを用いて、順次に単位時間当たりの歩数を求める。そして、制御部１２０は、求めた単位時間当たりの歩数に応じて、歩きか、早歩きかを判別する。また、歩数計機能部１４２が検出する振動の強度をも考慮することによって、階段昇りか、階段降りか等を特定することもできる。そして、上述したＧＰＳ部１４４からの現在位置を用いた場合と同様に、制御部１２０は、特定した移動手段や状況と、その継続時間に応じて消費カロリーを算出し、これをメタボ解消スケジュールデータの該当欄に入力する。
【００４９】
また、端末装置１において自動的に消費カロリーを算出できない運動等をユーザが行った場合には、タッチパネル１１４を通じて、ユーザが行った運動等の種類と、その運動等の継続時間とを入力する。制御部１２０は、当該入力された情報に基づいて消費カロリーを算出し、これをメタボ解消スケジュールデータの該当欄に入力する。なお、端末装置１において自動的に消費カロリーを算出できない運動等は、腹筋、ストレッチ、ラジオ体操、水泳などの他、睡眠、入浴、料理などといった生活活動など、現在位置やユーザの体の振動に基づいて検出できないものである。
【００５０】
そして、データメモリ１３０には、消費カロリーを算出するための消費カロリー算出用データが事前に用意される。当該消費カロリー算出用データもまた、上述した摂取カロリー算出用データと同様に、図１に示した支援サーバ装置３からネットワーク２を通じて提供を受けることができる。図５は、端末装置１のデータメモリ１３０に記憶保持される消費カロリー算出用データの例を説明するための図である。図５に示すように、消費カロリー算出用データは、運動項目毎に、運動の負荷の大きさに応じた係数と、単位時間当たりの消費カロリーを示す情報と、単位カロリー当たりの消費時間を示す情報を有する。
【００５１】
なお、図５に示した例の場合、単位時間は１０分、３０分、６０分の３種類とされ、単位カロリーは１００ｋｃａｌ、３００ｋｃａｌ、５００ｋｃａｌの３種類とされている。また、図４においては、その一部しか示していないが、消費カロリー算出用データは、例えば、腹筋、ストレッチ、水泳のクロールや平泳ぎなど、種々の運動項目についての消費カロリーに関する情報が用意されている。
【００５２】
そして、制御部１２０は、上述したように、ユーザが行った運動等（睡眠等の生活活動を含む。）の種類とその運動等の継続時間とに基づいて、図５に示す消費カロリー算出用データを参照し、ユーザの消費カロリーを算出して、メタボ解消スケジュールデータの「消費カロリー」の欄に記録する。また、消費カロリーについては、何も活動しない状態であっても消費される基礎代謝分の消費カロリーが自動的に考慮される。このため、図３のメタボ解消スケジュールデータにおいて、各日の「消費カロリー」の欄には、基礎代謝分の消費カロリーも記載して示している。
【００５３】
なお、算出した移動速度に応じた移動手段の特定は、以下のようにして行うことができる。例えば、算出した移動速度が、時速４ｋｍ未満であれば移動手段は徒歩であり、時速４キロ以上かつ時速８キロ未満であれば移動手段は早歩きであると判別する。また、移動速度が、時速８ｋｍ以上かつ時速３０ｋｍ未満であれば移動手段は自転車であると判別する。また、移動速度が時速３０ｋｍ以上であって、把握した移動経路が鉄道軌道上を通ることもなく、把握した移動状態がバス停で停止することもない場合には、移動手段は自動車であると判別する。
【００５４】
また、移動速度が時速３０ｋｍ以上であって、把握した移動経路が鉄道軌道上を通っている場合には、移動手段は電車であると判別する。また、移動速度が時速３０ｋｍ以上であって、把握した移動状態がバス停で停止する態様（パターン）になっている場合には、移動手段はバスであると判別する。なお、移動経路が道路か鉄道軌道上かは、ＧＰＳ部１４４からの現在位置に応じたエリアの地図情報の提供を支援サーバ装置３から受け、その地図情報により作成される地図上においてＧＰＳ部１４４からの現在位置をプロットすることにより把握できる。また、移動経路が道路上である場合に、移動手段が自動車かバスかの区別は、移動速度の変化点を支援サーバ装置３からの地図情報や当該地図情報のＰＯＩ（Point Of Interest）情報に基づいて確認し、当該変化点がバス停であるか否かに応じて区別することができる。
【００５５】
そして、差異算出部１５２は、予め決められたタイミングで摂取カロリーと消費カロリーと、一日当たりの減量カロリーや現在までの減量カロリーの累積値、目標期間などのメタボ解消スケジュールとの差異を算出して評価する。具体的に、差異算出部１５２は、予め決められたタイミングで摂取カロリーと消費カロリーとの差異と当該差異の累積値とを算出して、メタボ解消スケジュールデータの差異欄、累積欄に記録する。そして、差異算出部１５２は、算出した差異や差異の累積値と、一日当たりの減量カロリー、一日当たりの減量カロリーの累積値、目標期間、ユーザの体重等も考慮して、メタボ解消スケジュール通りに摂取カロリーや消費カロリーがコントロールできているか否かを評価し、その結果をメタボ解消スケジュールデータの評価欄に記録する。
【００５６】
ここで、差異算出手段が動作する予め決められたタイミングは、体重等の入力時、カロリー摂取時、カロリー消費時、食事時間、飲食店やスポーツジムやグラウンドなどの運動施設等へのチェックイン（入店、入場）時、移動時等である。体重等の入力時、カロリー摂取時、カロリー消費時は、図３に示したメタボ解消スケジュールデータの該当欄へのデータの入力時として把握できる。また、食事時間は、図３に示したメタボ解消スケジュールデータの食事時間を示す情報によって特定できる。
【００５７】
また、飲食店や運動施設等へのチェックイン時は、例えば、所定の時間間隔毎にＧＰＳ部１４４を通じて取得する現在位置を、支援サーバ装置３から提供を受ける地図情報により形成される地図上において確認することによって、飲食店や運動施設等へチェックインしたことを検出できる。また、ＧＰＳ部１４４を通じて取得した現在位置を、所定の時間間隔毎に支援サーバ装置３に送信し、支援サーバ装置３において、ユーザが位置する場所についての情報の提供を受けて、端末装置１側において飲食店や運動施設等にチェックインしたか否かを判別してもよい。また、移動時は、上述もしたように、ＧＰＳ部１４４からの情報、時間制御部１４１からの情報、歩数計機能部１４２からの情報に基づいて、移動手段が何かを含めて検出することが可能である。このように、差異算出部１５３は、カロリー摂取時と、カロリー消費時とにおいて動作するようになっている。
【００５８】
そして、アドバイス出力制御部１５３は、差異算出部１５２が摂取カロリーと消費カロリーの状況とメタボ解消スケジュールとの差異の評価を行ったタイミングで、当該差異の評価等に基づいて、メタボ解消の状況に関するアドバイス情報を作成する。そして、アドバイス出力制御部１５３は、作成したアドバイス情報を表示部１１３やスピーカ１１６を通じて出力するように、制御部１２０と協働して各部を制御する。このように、この実施の形態においては、差異算出部１５２とアドバイス出力制御部１５３とが連携して、ユーザに対して適時のタイミングでメタボ解消に関するアドバイス情報を提供する。
【００５９】
例えば、図３の２０１１年の１０月１日と１０月２日の欄に入力された情報にしたがって作成されるアドバイス情報の例について具体的に説明する。図３に示したように、１０月１日には、５００ｋｃａｌの朝食を取り、出勤等のために２３０ｋｃａｌを消費したとする。また、消費カロリーとして基礎代謝（１６７２．５ｋｃａｌ）分も考慮する。この場合、摂取カロリーと消費カロリーとの差異は、約−１４００ｋｃａｌとなる。また、朝食の摂取カロリーの目安もオーバーしていないので、評価は「ＯＫ」となり、摂取カロリーは良好であるアドバイス情報を作成して出力する。
【００６０】
その後、昼食に１２００ｋｃａｌを摂取し、座り仕事などで３００ｋｃａｌを消費したとする。この場合、それまでの摂取カロリーの合計が１７００ｋｃａｌで、消費カロリーの合計が約２２００ｋｃａｌであるので、差異は−５００ｋｃａｌとなる。この場合、昼食の摂取カロリーの目安をオーバーしており、その後の消費カロリーも伸びなければ、夕食をそのままの状態で取った場合、摂取カロリーが多くなりすぎる。このため、評価は「注意」となり、消費カロリーを大きくすることや、夕食を控え目にすることを促すアドバイス情報を作成して出力する。
【００６１】
その後、夕食に１２００ｋｃａｌを摂取し、また、運動などにより８００ｋｃａｌを消費したとする。この場合、それまでの摂取カロリーの合計が２７００ｋｃａｌで、消費カロリーの合計が約３０００ｋｃａｌであるので、差異評価は−３００ｋｃａｌとなる。この場合、目標とする１日当たりの減量カロリー１４８ｋｃａｌをクリアーしているで、評価は「ＯＫ」となり、摂取カロリーや消費カロリーのコントロールがうまくいっていることを示すアドバイス情報を作成して出力する。なお、この日の摂取カロリーと消費カロリーの差異の累積値は、−３００ｋｃａｌとなる。
【００６２】
次の日の１０月２日には、ユーザの体重は７４．９ｋｇとなり、減量傾向にあることが分かる。そして、１０月２日に５００ｋｃａｌの朝食を取り、出勤等のために２３０ｋｃａｌを消費したとする。もちろん、消費カロリーとして基礎代謝（１６７２．５ｋｃａｌ）分も考慮する。この場合、摂取カロリーと消費カロリーとの差異は、１０月１日と同様の−１４００ｋｃａｌである。また、朝食の摂取カロリーの目安もオーバーしておらず、体重も減量傾向にあるので、評価は「ＯＫ」となり、摂取カロリーは良好であるアドバイス情報を作成して出力する。
【００６３】
その後、昼食に１０００ｋｃａｌを摂取し、座り仕事などで３００ｋｃａｌを消費したとする。この場合、それまでの摂取カロリーの合計が１５００ｋｃａｌで、消費カロリーの合計が約２２００ｋｃａｌであるので、差異評価は−７００ｋｃａｌとなる。この場合、その後の消費カロリーも伸びなければ、夕食をそのままの状態で取った場合、摂取カロリーが多くなりすぎる。このため、評価は「注意」となり、消費カロリーを大きくすることや、夕食を控え目にすることを促すアドバイス情報を作成して出力する。
【００６４】
その後、夕食に１５００ｋｃａｌを摂取し、また、運動などにより８００ｋｃａｌを消費したとする。この場合、それまでの摂取カロリーの合計が３０００ｋｃａｌで、消費カロリーの合計が約２８００ｋｃａｌであるので、差異評価は＋２００ｋｃａｌとなる。この場合、目標とする１日当たりの減量カロリー１４８ｋｃａｌをクリアーできていないので、評価は「警告」となり、摂取カロリーや消費カロリーのコントロールがうまくいっておらず、目標期間内にメタボを解消できない旨の警告アドバイス情報を作成して出力する。なお、この日の摂取カロリーと消費カロリーの差異の累積値は、−１００ｋｃａｌとなる。
【００６５】
このように、端末装置１においては、摂取カロリーと消費カロリーの現状とメタボ解消スケジュールとの差異に基づいて、アドバイス情報を作成して、ユーザに提供する。なお、ここでは、説明を簡単にするため、摂取カロリーと消費カロリーとの両方が入力された場合にその差異を求めるようにした場合について説明した。しかし、実際には、摂取カロリーの入力時や消費カロリーの入力時など、所定のタイミング毎に差異評価が行われ、アドバイス情報が作成されて出力される。また、ここでは、２日分についてだけ説明した。しかし、メタボ解消スケジュールが進行するにしたがって、摂取カロリーと消費カロリーとの差異の累積値や一日当たりの減量カロリーの累積値との差異の状態も明らかになってくる。このため、メタボ解消スケジュールの達成度合いを示すこともできる。また、実際の体重の変化から、減量の状態を示すこともできる。すなわち、メタボ解消スケジュールデータに応じて、種々の状況をユーザに通知し、また、その状況に応じたアドバイス情報を作成して提供できる。
【００６６】
また、平日と休日で生活パターンが異なることはよくある。また、勤務先により繁忙期と閑散期が存在する場合には、それらの期間によって休日出勤や残業の頻度や時間が異なってくるので生活パターンが異なることになる。また、国内外の出張などの特殊要因が存在する場合も生活パターンが異なる。また、定期的な飲食会やサークル活動による運動を行う機会が決まっている場合もある。このような日々の生活において事前に把握可能な行動予定についての管理を実現するのが、行動予定管理部１５４である。
【００６７】
行動予定管理部１５４は、タッチパネル１１４を通じて入力される情報に基づいて、例えば、図６Ａ、Ｂに示すような行動予定を含むカレンダ情報を作成し、これをデータメモリ１３０に登録する。図６Ａに示した例の場合には、毎週土曜日は起床時間が遅くなり、朝食と昼食とが兼用になるのが習慣になっている場合に、朝食をとらないことを登録している。また、「２０１１年１１月８日〜２０１１年１１月１２日」までは、アメリカ出張の予定があることが登録されている。また、毎週日曜日には例えば運動サークル（例えば、野球やサッカーなど）の練習や試合があることを登録されており、２０１１年１１月１８日には飲食会の予定があることが登録されている。また、図６Ｂに示した例の場合には、「２０１１年１２月１２日〜２０１１年１２月２８日」まで、すなわち、年末は繁忙期であることが登録されている。
【００６８】
このようなカレンダ情報があれば、毎週土曜日に朝食を取らないことが習慣であることが分かるので、朝食を取ることを勧めるアドバイスを出力しないようにし、摂取カロリーの取り過ぎにならないようにアドバイスするなどのことが可能になる。また、出張中であれば、食生活が乱れないようにアドバイスしたり、また、普段より消費カロリーが増えることを考慮し、数パーセント分消費カロリーを上乗せして管理したりするなどのことができる。また、定期的に運動する予定があれば、その日には消費カロリーが多くなることを想定し、摂取カロリーや水分補給についてアドバイスするなどのことができる。また、飲食会が予定されている場合には、それまでに摂取カロリーを押さえるようにアドバイスすることができる。また、繁忙期においても、摂取カロリー不足になったり、消費カロリー不足になったりすることを防止するアドバイスをすることができるし、普段より消費カロリーが増えることを考慮し、数パーセント分消費カロリーを上乗せして管理したりするなどのことができる。
【００６９】
このように、行動予定管理部１５４が作成するカレンダ情報に基づいて、アドバイスする内容を変えたり、摂取カロリーや消費カロリーについて行動予定に応じた管理をしたりできる。
【００７０】
このように、この実施の形態の端末装置１は、メタボ解消スケジュールを作成するための初期情報の入力を受け付けて、当該端末装置１のユーザに応じたメタボ解消スケジュールを作成する。そして、日々の摂取カロリーと消費カロリーとを正確に収集して管理する。そして、適時のタイミングで、管理している情報に基づいて、メタボ解消を支援するための適切なアドバイスを作成し、これを当該端末装置１のユーザに対して提供する。
【００７１】
［端末装置１の処理］
次に、図１〜図６を用いて説明したこの実施の形態の端末装置１において実行される処理について、図７、図８のフローチャートと、図９〜図１１の表示画面の例とを参照しながら説明する。なお、以下においては、まず、（１）メタボ解消スケジュールの作成処理について説明し、つぎに、（２）カロリー情報等の収集とアドバイス出力処理について説明する。
【００７２】
［（１）メタボ解消スケジュールの作成処理］
図７は、この実施の形態の端末装置１で行われるメタボ解消スケジュールの作成処理を説明するためのフローチャートである。端末装置１の制御部１２０は、タッチパネル１１４やキー操作部１１１を通じて、メタボ解消スケジュールの作成処理を行うための所定の操作入力を受け付けると、図７に示す処理を実行する。ここで、当該所定の操作入力は、例えば、当該処理に対応付けられたアイコンやメニュー項目等を選択するものである。
【００７３】
そして、制御部１２０は、例えば、図９Ａに示すような初期情報の入力画面を端末装置１の表示部１１３の表示画面１１３Ｇに表示し、タッチパネル１１４を通じて初期情報の入力を受け付ける（ステップＳ１０１）。なお、図９Ａにおいて、「氏名」は端末装置１に予め設定されているものが用いられる。また、「性別」、「生年月日」は、例えばプルダウンメニューを通じて選択入力できる。また、「体重」、「身長」のそれぞれは、当該入力欄にカーソルを位置付けた場合に、表示画面１１３Ｇの下側に表示される０〜９までの数字キーと小数点の記号キーとからなるソフトウェアキーボード（タッチパネル１１４）を通じて、小数点第１位の位まで入力できる。
【００７４】
また、「職業」は、例えばプルダウンメニューを通じて選択入力でき、食事時間、出勤時間、退勤時間退勤ついては、例えばプルダウンメニューを通じて１０分単位に選択入力できる。もちろん、各時間情報については、「体重」や「身長」の場合と同様に、いわゆるソフトウェアキーボードを表示画面１１３Ｇに表示し、タッチパネル１１４を通じて入力することもできる。
【００７５】
そして、制御部１２０は、メタボ解消スケジュール作成部１５１を制御して、入力された初期情報を用い、メタボ解消スケジュールを作成するために必要となる情報を算出し、これを表示画面１１３Ｇに表示して、ユーザの確認を求める（ステップＳ１０２）。ステップＳ１０２では、まず、初期情報を用いて「ＢＭＩ」、「推奨体重」、「基礎代謝」、「生活代謝」を算出し、これらをも考慮して「減量目標」、「減量カロリー」、「１日当たりの減量カロリー」、「目標期間」を算出する。
【００７６】
そして、制御部１２０は、算出された「減量目標」、「減量カロリー」、「１日当たりの減量カロリー」、「目標期間」については、これを表示画面１１３Ｇに表示して、ユーザに対して確認入力を求める。なお、「目標期間」については、メタボ解消スケジュール作成部１５１が作成した複数の期間の中から、ユーザが選択することができる。
【００７７】
この後、制御部１２０は、図９Ａに示した初期情報の入力画面において「ＯＫ」ボタンがタッチパネル１１４を通じて操作されたか否かを判別する（ステップＳ１０３）。ステップＳ１０３の判別処理において、「ＯＫ」ボタンは操作されていないと判別したときには、ステップＳ１０１からの処理を繰り返す。これにより、初期情報の変更入力ができる。また、ステップＳ１０３の判別処理において、「ＯＫ」ボタンが操作されたと判別したときには、入力された初期情報及び算出した情報を含め、図３に示した態様のメタボ解消スケジュールデータを作成し、これをデータメモリ１３０に登録する（ステップＳ１０４）。そして、この図７に示す処理を終了する。
【００７８】
なお、データメモリ１３０に図３を用いて説明したメタボ解消スケジュールデータが作成された後においては、図７を用いて説明した処理が実行されたとする。この場合、制御部１２０は、既に作成されているメタボ解消スケジュールデータに基づいて、図９Ａに示した初期情報の入力画面を形成し、これを表示画面１１３Ｇに表示して、初期情報の修正、変更ができ、これに応じてメタボ解消スケジュールの変更ができる。また、作成済みのメタボ解消スケジュールデータを削除して、新たなメタボ解消スケジュールを作成することもできる。
【００７９】
このように、端末装置１のユーザは、タッチパネル１１４を通じて初期情報を入力することによって、メタボ解消スケジュールを端末装置１において作成することができる。
【００８０】
［（２）カロリー情報等の収集とアドバイス出力処理］
図８は、この実施の形態の端末装置１で行われるカロリー情報等の収集とアドバイス出力処理を説明するためのフローチャートである。図８に示すカロリー情報等の収集とアドバイス出力処理はユーザによって実行／非実行（オン／オフ）を切り替えることができる。そして、カロリー情報等の収集とアドバイス出力処理が実行可能な状態（オン状態）に選択されており、端末装置１に電源が投入された場合に端末装置１の制御部１２０は、図８に示す処理を実行する。
【００８１】
また、カロリー情報等の収集とアドバイス出力処理が非実行状態（オフ状態）に選択されており、タッチパネル１１４やキー操作部１１１を通じて、カロリー情報等の収集とアドバイス出力処理を実行状態にする所定の操作入力を受け付けたときにも、端末装置１の制御部１２０は、図８に示す処理を実行する。ここで、当該所定の操作入力は、例えば、当該処理に対応付けられたアイコンやメニュー項目等を選択するものである。
【００８２】
そして、制御部１２０は、まず、アドバイス出力制御部１５３を制御し、アドバイス情報を作成して、これを表示部１１３やスピーカ１１６を通じて出力する（ステップＳ２０１）。ステップＳ２０１において、アドバイス出力制御部１５３は、データメモリ１３０のメタボ解消スケジュールデータや時間制御部１４１が提供する現在時刻等に基づいて、これからどのように摂取カロリーや消費カロリーをコントロールすればよいかを示すアドバイス情報を作成して出力する。例えば、「昨日までの累積減量カロリーは、○○○ｋｃａｌです。体重の減少傾向が小さくなっています。摂取カロリーを抑えたり、消費カロリーを多くするように運動をしたりすることを心がけましょう。」というようなアドバイス情報が作成されて出力される。
【００８３】
この後、制御部１２０は、上述もしたように、ＧＰＳ部１４４や歩数計機能部１４２を制御して、消費カロリーの計測と、計測した消費カロリーのメタボ解消スケジュールデータへの更新処理を開始する（ステップＳ２０２）。このステップＳ２０２の処理により、日時、出発地、経由地、目的地、チャックイン時間、チェックアウト時間、移動手段、移動時間、移動距離から消費カロリーをユーザの手を煩わせることなく把握して、管理することができる。なお、日時は時刻制御部１４１が提供する情報であり、出発地、経由地、目的地、目的地等へのチャックイン時間、チェックアウト時間等は、例えば、支援サーバ装置３等が提供するルート探索サービスを利用する場合に特定可能な情報である。また、移動手段、移動時間、移動距離は、上述したように、制御部１２０が関連する各部と連携することにより把握できる情報である。
【００８４】
この後、制御部１２０は、タッチパネル１１４やキー操作部１１１を通じてユーザからの入力要求を受け付ける（ステップＳ２０３）。ステップＳ２０３においては、体重等の入力、摂取カロリーに関する情報の入力、消費カロリーに関する情報の入力を行うための入力要求を受け付ける。当該入力要求は、上述した各情報の入力処理に対応付けられたアイコンやメニュー項目等を選択するものである。
【００８５】
そして、制御部１２０は、ユーザからの入力要求を受け付けたか否かを判別する（ステップＳ２０４）。ステップＳ２０４の判別処理において、入力要求を受け付けたと判別したときには、制御部１２０は、要求された入力処理に対応する入力画面を表示画面１１３Ｇに表示し、ユーザからの情報入力を受け付ける（ステップＳ２０５）。このステップＳ２０５においては、ステップＳ２０３で受け付けた入力要求が、例えば、ユーザの体重等の入力要求である場合には、制御部１２０は、図９Ｂに示す日々の体重等を入力するための入力画面を表示し、ユーザからの情報の入力を受け付ける。なお、このステップＳ２０３においては、上述もしたが、計測機器が赤外線通信や近距離無線通信が可能なものであるときには、当該計測機器から送信される体重、体脂肪率、ＢＭＩなどの計測結果を制御部１２０が受信することにより入力とすることもできる。
【００８６】
また、ステップＳ２０３で受け付けた入力要求が、摂取カロリーに関する情報の入力要求であるときには、図１０Ａに示す摂取カロリーに関する情報の入力画面を表示し、ユーザからの情報の入力を受け付ける。当該入力画面には、図４を用いて説明した摂取カロリー算出用データに応じた摂取食品の一覧がスクロール可能で表示され、ユーザが摂取する摂取食品にカーソルＣＳを位置付けて選択し、食べ残し量を入力することにより、摂取カロリーが自動計算される。なお、このステップＳ２０５においては、上述もしたが、摂取食品の画像認識により摂取カロリーの提供を支援サーバ装置３から受けるようにすることもできる。
【００８７】
また、ステップＳ２０３で受け付けた入力要求が、消費カロリーに関する情報の入力要求であるときには、図１０Ｂに示す消費カロリーに関する情報の入力画面を表示し、ユーザからの情報の入力を受け付ける。当該入力画面には、図５を用いて説明した消費カロリー算出用データに応じた運動項目の一覧がスクロール可能に表示され、目的とする運動項目にカーソルＣＳを位置付けて選択し、当該運動等の継続時間を入力することにより、消費カロリーが自動計算される。
【００８８】
制御部１２０は、ステップＳ２０５において受け付けた情報を、図３を用いて説明したメタボ解消スケジュールデータに更新する（ステップＳ２０６）。すなわち、制御部１２０は、入力された体重等や、摂取カロリーや、消費カロリーを、メタボ解消スケジュールデータの該当する日付の該当欄に書き込む処理を行う。そして、制御部１２０は、差異算出部１５２を制御し、摂取カロリーと消費カロリーの状況とメタボ解消スケジュールとの差異の算出（差異評価）を行う（ステップＳ２０７）。
【００８９】
この後、制御部１２０は、アドバイス出力制御部１５３を制御し、摂取カロリーと消費カロリーの状況とメタボ解消スケジュールとの差異評価と行動予定管理部１５４が作成したカレンダ情報とを考慮して、アドバイスを作成して出力する（ステップＳ２０８）。このステップＳ２０８においては、メタボ解消スケジュールデータとユーザの行動予定を記録したカレンダ情報に基づいて、種々のアドバイスを出力することができる。アドバイスの具体例については後述する。
【００９０】
そして、制御部１２０は、当該カロリー情報等の収集とアドバイス出力処理が非動作状態（オフ状態）とされたか否かを判別し（ステップＳ２０９）、オフにされていないと判別したときには、ステップＳ２０３からの処理を繰り返す。また、ステップＳ２０９の判別処理において、オフにされたと判別したときには、制御部１２０は、ステップＳ２０２で開始させた消費カロリーの算出と、メタボ解消スケジュールデータへの更新処理を終了させるなどの所定の終了処理を実行し（ステップＳ２１０）、この図８に示す処理を終了する。
【００９１】
また、上述したステップＳ２０４の判別処理において、入力要求を受け付けていないと判別したときには、制御部１２０は、摂取カロリーや消費カロリーの現状と、メタボ解消スケジュールとの差異を算出するタイミングが到来したか否かを判別する（ステップＳ２１１）。このステップＳ２１１の判別処理では、メタボ解消スケジュールの食事時間が到来したり、ＧＰＳ部１４４からの現在位置が飲食店や運動施設等であったり、また、車や電車で移動している場合を、差異算出タイミングが到来したと判別する。なお、車や電車で移動している場合を検出するのは、摂取カロリーが多かったり、消費カロリーが不足したりしている場合に、徒歩やジョギング等の負荷の高い移動手段に変更することを勧めることができるためである。ステップＳ２１１の判別処理において、差異算出タイミングは到来していないと判別したときには、制御部１２０はステップＳ２０３からの処理を繰り返す。
【００９２】
また、ステップＳ２１１の判別処理において、差異算出タイミングが到来したと判別したときには、制御部１２０はステップＳ２０７からの処理を実行する。すなわち、摂取カロリーと消費カロリーの現状とメタボ解消スケジュールとの差異評価を行い（ステップＳ２０７）、当該差異評価等を考慮したアドバイス情報を作成して出力する処理を行う（ステップＳ２０８）。
【００９３】
このようにして、端末装置１は、ユーザの摂取カロリーと消費カロリーとを適切に取得して管理し、適時のタイミングで適切なアドバイス情報を作成して出力することができる。これにより、摂取カロリーや消費カロリーをユーザが適切にコントロールできるようにし、メタボを解消できるように誘導することができる。
【００９４】
なお、ステップＳ２０８で出力するアドバイス情報の一例を図１１に示す。例えば、体重の減少傾向が維持されており、摂取カロリーや消費カロリーのコントロールがうまくいっている場合に、激励、賞賛するアドバイス情報（メッセージ情報）（図１１Ａ）を出力できる。また、摂取カロリーが多い場合には、摂取カロリーをひかえるか、運動することを進めるアドバイス情報（図１１Ｂ）を出力でき、消費カロリーが少ない場合には、移動手段をより消費カロリーの大きいものに変更するアドバイス情報（図１１Ｃ）を出力できる。
【００９５】
さらに、摂取カロリーが多く、消費カロリーが少ない場合であって、このまま夕食を取った場合には摂取カロリーが多くなりすぎる状態にあり、かつ、帰宅時に電車に乗っていることがＧＰＳ情報から検知できたとする。この場合には、最寄り駅よりも１つ前の駅で降りて消費カロリーを多くすること、及び、夕食を少なめにすることを勧めるアドバイス情報（図１１Ｄ）を出力できる。また、摂取カロリーがメタボ解消スケジュールデータの摂取カロリーの目安よりも極端に少ない場合には、摂取カロリーが少ないので、無理をしないように促すアドバイス情報（図１１Ｅ）を出力することができる。また、メタボ解消スケジュールデータの履歴から、週の中頃（水曜日当たり）に運動量が少ないことが検知できたときには、その傾向を通知するアドバイス情報（図１１Ｆ）を出力することができる。
【００９６】
［第１の実施の形態の効果］
いわゆるダイエットには食事と運動に対してどの程度コストをかけて、誰がどのようにサポートするかという支援計画モデルが用意されるのが一般的であると考えられる。しかし、上述した実施の形態の場合、端末装置１のユーザは、自分の意思と、端末装置１を通じて提供されるツールとによって、自分の身体状態に応じたメタボ解消のための摂取カロリーと消費カロリーとのコントロールを行うことができる。したがって、特に大きなコストをかけることなく、また、他人のサポートを受けることなく、端末装置１を自分専用のサポータとして利用して、無理をせず、より確実にメタボ状態を解消できる方向に誘導してもらうことができる。これにより、メタボ状態にあるユーザに対して、メタボ状態を脱却するまで支援するツールを提供することができる。
【００９７】
［第２の実施の形態］
図１２は、第２の実施の形態の健康管理支援システムの概略構成を説明するための図である。図１２において、携帯端末装置１Ｘは、上述した第１の実施の形態の端末装置１の場合と同様に、スマートフォンなどと呼ばれる高機能携帯電話端末であるものである。また、支援サーバ装置３Ｘは、上述した第１の実施の形態のサーバ装置３と同様に、ネットワーク２に接続され、端末装置１での処理が適正に行えるように支援するものである。以下においては、説明を簡単にするため、携帯端末装置１Ｘを端末装置１Ｘと、また支援サーバ装置３Ｘをサーバ装置３Ｘと略称する。
【００９８】
そして、図１２に示すように、端末装置１Ｘは、メタボ解消スケジュール作成手段１２を備えていない点を除けば、第１の実施の形態の端末装置１と同様に構成される。すなわち、この第２の実施の形態においては、上述した第１の実施の形態で端末装置１が備えていたメタボ解消スケジュールデータ等の管理機能をサーバ装置３Ｘが備える。このため、この第２の実施の形態の端末装置１Ｘは、図２に示した第１の実施の形態の端末装置１において、メタボ解消スケジュール作成部１５１を備えない点を除けば、図２に示した端末装置１と同様に構成される。
【００９９】
そして、サーバ装置３Ｘは、図１２に示すように、制御部３１０、ハードディスクドライブ（以下、ＨＤＤと略称する。）３２０、通信インターフェース（以下、通信Ｉ／Ｆと略称する。）３３１、メタボ解消スケジュール作成部３３２を備える。
【０１００】
制御部３１０は、サーバ装置３Ｘの各部を制御するものであり、図示しないが、ＣＰＵ（Central Processing Unit）、ＲＯＭ（Read Only Memory）、ＲＡＭ（Random Access Memory）等を有するコンピュータ装置である。ＨＤＤ３２０はハードディスクを備え、種々のアプリケーションプログラムや種々の処理により得られたデータ等のハードディスクへの書込み／記録保持／読み出し／削除を行う。また、ＨＤＤ３２０のハードディスクには、図１２に示すように、メタボ解消スケジュールデータファイル３２１、摂取カロリー算出用データファイル３２２、消費カロリー算出用データファイル３２３、行動予定データファイル３２４が形成される。
【０１０１】
メタボ解消スケジュールデータファイル３２１は、ユーザ別にメタボ解消スケジュールデータを保持する。この第２の実施の形態においても、メタボ解消スケジュールデータは図３を用いて説明したように形成される。また、摂取カロリー算出用データファイル３２２は、図４を用いて説明した摂取カロリー算出用データを、また、消費カロリー算出用データファイル３２３は、図５を用いて説明した消費カロリー算出用データを保持する。また、行動予定データファイル３２４は、ユーザ別に行動予定データを保持する。なお、この第２の実施の形態においても行動予定データは、図６を用いて説明したように、例えば、カレンダの形式でユーザの行動予定を記録したものである。
【０１０２】
通信Ｉ／Ｆ３０１は、ネットワーク２からの信号を受信し、自機が処理可能なデータに変換し制御部３１０に供給する。また、通信Ｉ／Ｆ１０２は、制御部３１０を通じて供給される送信用の種々のデータを、プロトコルに準拠した信号に変換してネットワーク２に送出する。そして、メタボ解消スケジュール作成部３３２は、上述した第１の実施において、端末装置１に設けられたメタボ解消スケジュール作成部１５１と同様の機能を実現する。
【０１０３】
但し、この第２の実施の形態において、メタボ解消スケジュールを作成するための初期情報は、端末装置１Ｘからネットワーク２を通じてサーバ装置３Ｘに送信される。したがって、サーバ装置３Ｘのメタボ解消スケジュール作成部３３２は、制御部３１０が通信Ｉ／Ｆ３３１を通じて受信したメタボ解消スケジュールを作成するための初期情報に基づいて、メタボ解消スケジュールを作成する。また、メタボ解消スケジュール作成部３３２は、作成したメタボ解消スケジュールを、制御部３１０を通じてＨＤＤ３２０のハードディスクに形成されているメタボ解消スケジュールデータファイルに記録する。そして、端末装置１Ｘは、必要に応じてサーバ装置３Ｘにアクセスして必要な情報を参照し、情報入力手段１１、摂取カロリー情報取得手段１３、消費カロリー取得手段１４、差異算出手段１５を機能させて、自己のメタボ解消スケジュールデータを更新する。
【０１０４】
このように、端末装置１Ｘのユーザのメタボ解消スケジュールデータは、サーバ装置３Ｘのメタボ解消スケジュールデータファイル３２１内に形成される。この第２の実施の形態においては、少なくともカロリーの摂取時やカロリーの消費時において、端末装置１Ｘからサーバ装置３Ｘに対して必要となる情報を提供する。そして、サーバ装置３Ｘに保持されている端末装置１Ｘのユーザのメタボ解消スケジュールデータを更新する。これにより、端末装置１Ｘのユーザは、自己のメタボ解消スケジュールデータをサーバ装置３Ｘにおいて適切に管理できる。
【０１０５】
そして、上述した第１の実施の形態では、端末装置１で実行される処理として説明した図７、図８のフローチャートの処理が、この第２の実施の形態では、端末装置１Ｘとサーバ装置３Ｘとが協働して行う処理となる。しかし、その処理内容が大きく変わることはない。すなわち、図７に示したメタボ解消スケジュールの作成処理では、ステップＳ１０２のスケジュール作成処理とステップＳ１０４のスケジュールデータ作成・登録処理がサーバ装置３Ｘで行われる。また、ステップＳ１０１の初期情報の入力受付処理とステップＳ１０３の確認処理が端末装置１Ｘで行われる。
【０１０６】
なお、端末装置１Ｘとサーバ装置３Ｘとの間では、情報の送受が適宜行われる。例えば、端末装置１Ｘからサーバ装置３Ｘに初期情報を送信したり、サーバ装置３Ｘから端末装置１Ｘに作成したメタボ解消スケジュールを送信して、確認を求めたり、端末装置１Ｘからサーバ装置３Ｘに確認を送信したりといった情報の送受信が行われる。この場合、端末装置１Ｘからサーバ装置３Ｘへ送信する情報には、端末装置１Ｘの識別情報やユーザＩＤ等が付加され、サーバ装置３Ｘにおいて送信元を特定することができるようになっている。
【０１０７】
また、図８に示したカロリー情報等の収集とアドバイス出力処理では、ステップＳ２０１の消費カロリーのメタボ解消スケジュールデータへの更新処理がサーバ装置３Ｘで行われる。また、ステップＳ２０６の入力データのメタボ解消スケジュールデータへの更新処理が、サーバ装置３Ｘで行われる。なお、図８に示した処理においても、端末装置１Ｘとサーバ装置３Ｘとの間では、情報の送受が適宜行われる。例えば、ステップＳ２０２において算出した消費カロリーをサーバ装置３Ｘに送信したり、ステップＳ２０５において受け付けた入力情報をサーバ装置３Ｘに送信したりすることが行われる。また、ステップＳ２０８においては、端末装置１Ｘがサーバ装置３Ｘにアクセスし、サーバ装置３Ｘの蓄積情報を参照して、アドバイス情報を作成する処理を行う。
【０１０８】
なお、この第２の実施の形態においては、メタボ解消スケジュール作成部３３２だけをサーバ装置３Ｘに設けるようにした。しかし、差異算出手段１１、アドバイス出力制御手段１６、行動予定管理部１５４の各機能は、端末装置１Ｘとサーバ装置３Ｘとが協働して実現する。すなわち、端末装置１Ｘが備える差異算出部１５２は、サーバ装置３Ｘが保持しているメタボ解消スケジュールデータに基づいて差異を算出し、これをサーバ装置３Ｘが保持しているメタボ解消スケジュールデータに更新する処理を行う。また、端末装置１Ｘが備える行動予定管理部１５４は、サーバ装置３Ｘに入力されたスケジュール情報を供給し、これをサーバ装置３Ｘが保持している行動予定データに更新する。また、図２に示した端末装置１のアドバイス出力制御部１５３は、サーバ装置３Ｘに蓄積されているメタボ解消スケジュールデータを参照してアドバイス情報を作成する。
【０１０９】
このように、この第２の実施の形態のシステムでは、メタボ解消スケジュールデータ、消費カロリー算出用データ、摂取カロリー算出用データ、行動予定データは、サーバ装置３Ｘにおいて管理する。すなわち、端末装置１Ｘのデータメモリ１３０には、上記の各データを保持する必要がない。これにより、サーバ装置３ＸのＨＤＤ３２０に形成される各ユーザのメタボ解消スケジュールデータを、医師や健康運動指導士と情報共有する事が可能となる。したがって、医師や健康運動指導士が、適宜のタイミングで各ユーザのメタボ解消スケジュールデータを参照し、摂取カロリーや消費カロリーに問題のあるユーザを見つけ出して、アドバイスや注意を直接ユーザに提供することができる。
【０１１０】
また、サーバ装置３Ｘに各ユーザのメタボ解消スケジュールデータを保存する構成とすれば、保存されたメタボ解消スケジュールデータに対して、バックアップやメタボ解消スケジュールが長年に及んだ場合の履歴としての役割を持たせることができる。また、メタボ解消スケジュールが長年に及んだ場合であっても、端末装置１Ｘのデータメモリ１３０の記憶容量を気にする必要もない。
【０１１１】
［第２の実施の形態の効果］
上述した第１の実施の形態の効果に加えて、メタボ解消スケジュールデータをサーバ装置３Ｘで一括管理できるので、医師や健康運動指導士によるメタボ解消スケジュールデータの情報共有が可能となる。これにより、医師や健康運動指導士によるアドバイスを適宜のタイミングで個別に受けることができる。また、メタボ解消スケジュールデータ等のバックアップを適切に行い、メタボ解消スケジュールが長年に及んだ場合でも履歴を適切に保持することができる。
【０１１２】
［変形例等］
なお、メタボ解消スケジュールデータは図３に示したように、日付別、時系列順に摂取カロリーと消費カロリーを把握することができる。すなわち、起床から就寝までの生活パターン別消費カロリーと摂取カロリー計算機能を端末装置１が有する。このため、メタボ解消スケジュールのスタート時点から終了までのヒストリー（履歴）を採取できる。もちろん、メタボ解消スケジュールのスタート時点から現時点までのヒストリーを出力して確認することもできる。
【０１１３】
また、ユーザのスケジュール（行動予定）をパーソナルコンピュータなどの別システムで管理している場合には、外出などの予定を端末装置１のデータメモリ１３０のスケジュール情報にインポートする。そして、起床から就寝までの生活パターン別の消費カロリーと摂取カロリーの予測機能により、その後の日別の消費カロリー、摂取カロリー、体重、体組成数値目標を自動変更できるようにすることもできる。すなわち、予め外出する日と場所がわかっていれば、何を食べ、どのような移動手段を用い、どの位移動し、また、どの位運動するか等を予測することができる。このため、インポートしたスケジュールにも基づいて、外出した日の摂取カロリーや消費カロリーを予測し、これを用いて、該当日の摂取カロリーや消費カロリーを調整、変更することができる。また、摂取カロリーや消費カロリーが分かれば、ユーザの体重等の変化の状況も予測することができるので、該当日の体重等が入力されていない場合などにおいて、これを補間することができる。
【０１１４】
また、体質による、標準的な目標期間や数値達成がヒストリーにより難しいと判断される場合、又は何らか要因により、達成が早まったり難しかったりする場合も、その後の日別の消費カロリー、摂取カロリー、体重、体組成目標を自動変更することもできる。当該機能は、制御部１２０が、データメモリ１３０のメタボ解消スケジュールデータの各日の各情報（ヒストリー（履歴情報））を監視することにより、自動変更の必要性を判別することにより、実現することができる。
【０１１５】
また、上述した第１の実施の形態の場合、適宜のタイミングでメタボ解消スケジュールデータや行動予定データを、支援サーバ装置３に送信して蓄積するようにしてもよい。このようにすれば、上述した第２の実施の形態の場合と同様に、メタボ解消スケジュールデータや行動予定データをサーバ装置３でも適切に管理し、医師や健康運動指導士と情報共有することができる。また、データの適切なバックアップを実現できる。
【０１１６】
［その他］
なお、上述した実施の形態の説明からも分かるように、情報入力手段１１の機能は、タッチパネル１１４と制御部１２０とが実現し、スケジュール作成手段としての機能は、メタボ解消スケジュール作成部１５１が実現している。また、摂取カロリーに関する第１の取得手段としての機能は、主にタッチパネル１１４及び制御部１２０が実現している。また、当該第１の取得手段の機能は、カメラ部１４３及び無線通信部１０２が実現する場合もある。また、消費カロリーに関する第２の取得手段としての機能は、主に制御部１２０とＧＰＳ部１４４、歩数計機能部１４２、タッチパネル１１４が協働して実現している。また、算出手段としての機能は、差異算出部１５２が実現し、出力制御手段１５３としての機能はアドバイス出力制御部１５３が実現している。
【０１１７】
また、時刻管理手段としての機能は時間制御部１４１が実現し、現在位置取得手段としての機能はＧＰＳ部１４４が実現し、移動状態検出手段としての機能は主に制御部１２０が実現し、情報受付手段としての機能はタッチパネル１１４と制御部１２０とが実現している。
【０１１８】
また、図７、図８フローチャートに示した処理は、この発明の方法に対応するものである。また、図７、図８のフローチャートに応じた処理を実行するプログラムが、この発明のプログラムに対応するものである。したがって、図７、図８に示した処理を実行するプログラムを形成し、これを高機能携帯電話端末等に搭載して、当該装置において実行可能にしておくことにより、この発明の健康管理支援装置を実現することができる。
【符号の説明】
【０１１９】
１…端末装置、１０１…送受信アンテナ、１０２…無線通信部、１０３…受話器、１０４…送話器、１１１…キー操作部、１１２…表示制御部、１１３…表示部、１１４…タッチパネル、１１５…音声処理部、１１６…スピーカ、１２０…制御部、１３０…データメモリ、１４１…時間制御部、１４２…歩数計機能部、１４３…カメラ部、１４４…ＧＰＳ部、１４５…ＧＰＳアンテナ、１５１…メタボ解消スケジュール作成部、１５２…差異算出部、１５３…アドバイス出力制御部、１５４…行動予定管理部
【図１】
2013109700.tif 000003
【図２】
2013109700.tif 000004
【図３】
2013109700.tif 000005
【図４】
2013109700.tif 000006
【図５】
2013109700.tif 000007
【図６】
2013109700.tif 000008
【図７】
2013109700.tif 000009
【図８】
2013109700.tif 000010
【図９】
2013109700.tif 000011
【図１０】
2013109700.tif 000012
【図１１】
2013109700.tif 000013
【図１２】
2013109700.tif 000014